(57)【要約】ブリスターパック（２００）の軸周りに環状に配列した多数のポケット（２０４）を定義するサポート部と、前記ブリスターパックの分配側面に提供され、各ポケットを破砕可能な部位で覆うカバーシートと、を備えたブリスターパックから製品を分配するためのディスペンサーであって、ハウジング（２０８，２１０）、使用時において前記ハウジング（２０８，２１０）内でブリスターパックを回転させるために設置されたハブ（２０６)を備えている。分配窓部（２３６）は、前記ハウジング（２０８，２１０）に配置され、使用時においてブリスターパック（２００）の各ポケットがその投影領域内に至るように当該ブリスターパックが回転されると共に、その投影領域を通ってブリスターパックの内容物が放出するのを可能にする。接近口（２４０，２４２）は、ブリスターパック（２００）の外周縁における露出部位を使用者が手動で従事させることによる当該ブリスターパックの回転に用いるようにハウジング（２０８，２１０）に提供されている。２個の手動で解除可能なロック手段（２１６）は、使用時においてブリスターパックと協働するように適応されると共に、ブリスターパックの回転を防止するロック位置から、使用時において次のポケットを隣接する分配窓部に導くために、ブリスターパックが回転可能となる解除位置まで、バイアスに抗して手動で動かされる。
2006516517.tif 000002
【特許請求の範囲】
【請求項１】
ブリスターパックの軸周りに環状に配列した多数のポケットを定義するサポート部と、前記ブリスターパックの分配側面に提供され、各ポケットを破砕可能な部位で覆うカバーシートと、を備えたブリスターパックから製品を分配するためのディスペンサーであって、
ハウジングと、
使用時において前記ハウジング内でブリスターパックを回転させるための設置手段と、
前記ハウジングに配置され、使用時においてブリスターパックの各ポケットがその投影領域内に至るように当該ブリスターパックが回転されると共に、その投影領域を通ってブリスターパックの内容物が放出するのを可能にする分配窓部と、
ブリスターパックの外周縁における露出部位を使用者が手動で従事させることによる当該ブリスターパックの回転に用いる接近口と、
使用時においてブリスターパックと協働するように適応されると共に、ブリスターパックの回転を防止するロック位置から、使用時において次のポケットを隣接する分配窓部に導くために、ブリスターパックが回転可能となる解除位置まで、バイアスに抗して手動で動かされる、手動で解除可能なロック手段と、を備えたことを特徴とするディスペンサー。
【請求項２】
前記ハウジングは、使用時において前記ブリスターパックの殆どを周囲から囲うベース部及び蓋部を備え、分配窓部は前記ベース部に提供されていることを特徴とする請求項１記載のディスペンサー。
【請求項３】
前記ベース部及び蓋部は、少なくとも一つのスナップフィットによって互いに連結されていることを特徴とする請求項２記載のディスペンサー。
【請求項４】
前記ベース部及び蓋部は、互いに連結されるヒンジ部によって完全体に形成されることを特徴とする請求項２又は３に記載のディスペンサー。
【請求項５】
前記設置手段は、前記蓋部及び前記ベース部の一方に提供された中央の突起部を備えていることを特徴とする請求項２ないし４のいずれか一つに記載のディスペンサー。
【請求項６】
前記スナップフィットは、前記突起部及び、前記蓋部及び前記ベース部の他方に提供された面要素との間で具現されることを特徴とする、請求項３に従属する請求項５に記載のディスペンサー。
【請求項７】
前記ロック機構は、使用時においてブリスターパックの外周にバイアス方向から嵌合するロック端と、ハウジングの外側から動作される外に突き出した露出端とを有する揺り動かし可能な少なくとも一つのアームを備え、使用時において露出端を押し下げ、ロック端を前記ブリスターパックの外周との嵌合から開放することを特徴とする請求項１ないし６のいずれか一つに記載のディスペンサー。
【請求項８】
前記ロック機構は、ハウジングの外周上に互いに離れて配置した２本の揺り動かし可能なアームを備えていることを特徴とする請求項７記載のディスペンサー。
【請求項９】
前記揺り動かし可能な各アームは、前記ハウジングに完全に形成されていることを特徴とする請求項８記載のディスペンサー。
【請求項１０】
前記ハウジングは、前記分配窓部に対向して配置されると共に、前記分配窓部を通じて隣接するブリスターパックの内容物を押し出すように操作可能な押し出し手段を含むことを特徴とする請求項１ないし９のいずれか一つに記載のディスペンサー。
【請求項１１】
製品を分配するためのディスペンサーであって、
ブリスターパックであって、ブリスターパックの軸周りに環状に配列した多数のポケットを定義するサポート部と、前記ブリスターパックの分配側面に提供され、各ポケットを破砕可能な部位で覆うカバーシートと、を備え、
前記ブリスターパックの軸周りに相対的に回転するために、前記ブリスターパックに回転可能に連結した閉鎖機構であって、この閉鎖機構が、前記ポケットに接近するのを防止又は妨害するために前記ブリスターパックの分配側面の殆どを覆う遮蔽部を備え、前記遮蔽部が、ブリスターパックが閉鎖機構と相対的に回転することによって、少なくとも一つのポケットがその投影領域内に一時に導かれる分配窓部を含み、
次のポケット又はポケット群が分配窓部の投影領域内に至るように、閉鎖機構に対して相対的にブリスターパックが回転するのを、子供にとって安全な手段によって制限又は抑制することを特徴とするディスペンサー。
【請求項１２】
前記分配窓部は、その投影領域内に一のポケットが一時に導かれるように形成されていることを特徴とする請求項１１記載のディスペンサー。
【請求項１３】
前記子供にとって安全な手段は、前記ブリスターパックの軸周りに配置され、前記閉鎖機構の係止部と協働するように配列した柔軟で変形可能な多数の突出部を備え、感覚が与えられて分配窓部の投影領域を通じて一又は複数のポケットから分配した後、それぞれの突出部が前記係止部を通り越すことが可能なように柔軟に変形されるまで前記ブリスターパックの回転を防止することを特徴とする請求項１１又は１２に記載のディスペンサー。
【請求項１４】
前記柔軟で変形可能な突出部は、前記サポート部上に完全に形成された多数のブリスターであることを特徴とする請求項１３に記載のディスペンサー。
【請求項１５】
前記閉鎖機構は、ブリスターパックの周方向に設けられた柔軟で変形可能な突出部の変形に先立ち、前記柔軟で変形可能な突出部と協働して弾性のある回転止めとして作用することによって移動を制限可能な係止部をさらに含むことを特徴とする請求項１３又は１４に記載のディスペンサー。
【請求項１６】
前記閉鎖機構は、その外周から内側に向かって延びる扇形状の分配窓部を備えた略円盤形状であることを特徴とする請求項１３ないし１５のいずれか一つに記載のディスペンサー。
【請求項１７】
前記ブリスターパックは、中央の円形の穴部を備えた円盤形状であり、前記閉鎖機構は、前記ブリスターパックの中央の穴部に回転可能に嵌合される中央の嵌合手段、及びブリスターパックの外周縁に嵌合される周囲の嵌合手段を含んでいることを特徴とする請求項１６に記載のディスペンサー。
【請求項１８】
前記中央の嵌合手段及び周囲の嵌合手段は、前記ブリスターパックに対するスナップフィットであることを特徴とする請求項１７に記載のディスペンサー。
【請求項１９】
前記子供にとって安全な手段は、大人以外の使用者による、カバー要素と相対的なブリスターパックの回転を防止又は妨害するように、閉鎖要素に配置した係止部と協働するように配列されると共に、前記ブリスターパックの軸周りに、前記ズリスターパックに配置した前記複数の突起部を備えていることを特徴とする請求項１１又は１２に記載のディスペンサー。
【請求項２０】
前記突出部は、ブリスターパックに完全に形成したブリスター状又はバブル状であることを特徴とする請求項１８に記載のディスペンサー。
【請求項２１】
前記閉鎖機構は、その外周から内側に向かって延びる扇形状の分配窓部を備えた略円盤形状であることを特徴とする請求項１９又は２０に記載のディスペンサー。
【請求項２２】
前記ブリスターパックは、中央の円形の穴部を備えた円盤形状であり、前記閉鎖機構は、前記ブリスターパックの中央の穴部に回転可能に嵌合される中央の嵌合手段、及びブリスターパックの外周縁に嵌合される周囲の嵌合手段を含んでいることを特徴とする請求項２１に記載のディスペンサー。
【請求項２３】
前記ブリスターパックは、前記閉鎖機構とさらに別の閉鎖機構とによって定義されるハウジングに殆ど囲まれて配置されており、前記閉鎖機構及び前記さらに別の閉鎖機構は、互いに向かい合う方向及び離れる方向に移動可能であって、前記さらに別の閉鎖機構は、分配穴部に略位置合わせされ、当該閉鎖機構が前記先に述べた閉鎖機構に向かうときに、１個又はそれ以上のブリスターから製品を放出するように、１以上の各々のブリスターパックに従事すると共に変形させるように、使用において作用する１以上の突起部を有していることを特徴とする請求項１１又は１２に記載のディスペンサー。
【請求項２４】
前記前記閉鎖機構及び前記さらに別の閉鎖機構は、蝶つがいによって相対的に動くように設けられていることを特徴とする請求項２３に記載のディスペンサー。
【請求項２５】
前記前記閉鎖機構及び前記さらに別の閉鎖機構は、互いを連結するヒンジ部よって完全体に形成されていることを特徴とする請求項２４に記載のディスペンサー。
【請求項２６】
前記前記閉鎖機構及び前記さらに別の閉鎖機構は、バイアス手段によって互いに離されることを特徴とする請求項２３ないし２５のいずれか一つに記載のディスペンサー。
【請求項２７】
前記子供にとって安全な手段は、装置が略作動していない状態のときに、前記前記閉鎖機構及び前記さらに別の閉鎖機構が閉じているのを維持するように設計したインターロック機構を備えており、使用において、使用者は、１以上の製品を分配するために前記閉鎖機構及び前記さらに別の閉鎖機構を開放するようにし、前記ロック手段は、幼い子供による開放を防止又は妨害するように設計されていることを特徴とする請求項２３ないし２６のいずれか一つに記載のディスペンサー。
【請求項２８】
前記ロック手段は、前記さらに別の閉鎖機構のロック要素の各々と相互に作用する、前記閉鎖機構に提供した２以上のロック要素を備え、当該ロック手段の排除は前記ロック要素の１以上と隣接する、閉鎖機構及び／又はさらに別の閉鎖機構の弾性のある変形を必要とすることを特徴とする請求項２７記載のディスペンサー。
【請求項２９】
前記子供にとって安全な手段は、前記ハウジングに対し相対的に移動するように設けられると共に、次のポケット又は複数のポケットが分配窓部の投影領域内に至るように、ハウジングに対し相対的にブリスターパックを回転するように作用する作動手段をさらに備えていることを特徴とする請求項２３ないし２８のいずれか一つに記載のディスペンサー。
【請求項３０】
前記作動手段は、前記閉鎖機構及び前記さらに別の閉鎖機構が閉じた姿勢でロックされているときには作動しないように設計されていることを特徴とする請求項２９に記載のディスペンサー。
【請求項３１】
前記ブリスターパックは、その外周面につめ車の表面を定義するために、外周に沿って多数の歯部が形成されており、前記作動手段は、前記ブリスターパックの案内を効果的にするために、前記つめ車の表面に対し歯止めとして作用するように設計した突起部を備えていることを特徴とする請求項２９又は３０に記載のディスペンサー。
【請求項３２】
前記閉鎖機構及び前記さらに別の閉鎖機構は、“安全”姿勢と、“準備の整った”姿勢との間を移動可能であり、前記閉鎖機構が“安全”姿勢にあるときに、前記作動手段は、前の製品が分配されると即座にブリスターパックを通過して突出する前記さらに別の閉鎖機構の突起部によってブリスターパックがロックされることにより、作動不可能な状態にされることを特徴とする請求項３１に記載のディスペンサー。
【請求項３３】
前記子供にとって安全な手段は、使用において、ブリスターパックの外周部を回転可能に従事させるように適用する、外部から利用できる手動で操作可能なハンドル手段をさらに備えていることを特徴とする請求項２３ないし３２のいずれか一つに記載のディスペンサー。
【請求項３４】
前記ハンドル手段は、使用において、ブリスターパックの歯状の外周表面と互いに補足し合って協働するように設計された歯状の駆動表面を備えていることを特徴とする請求項３３に記載のディスペンサー。
【請求項３５】
前記子供にとって安全な手段は、外部から利用可能であって、ブリスターパックに形成するか又はブリスターパックに連結した被駆動表面と互いに補足し合って協働する回転可能な駆動部を含み、この駆動表面及び披駆動表面はバイアスによって離されており、前記バイアスに打ち勝って外部から利用可能なハンドルからブリスターパックに駆動力を伝達可能にすることを特徴とする請求項２３ないし２８のいずれか一つに記載のディスペンサー。
【請求項３６】
前記駆動表面及び前記被駆動表面は、互いに補足し合う歯部を備えていることを特徴とする請求項３５に記載のディスペンサー。
【請求項３７】
前記駆動表面は、前記閉鎖機構内に回転可能なように設けられたハブ部に配置され、前記ハブ部は、回転しない方法で前記ブリスターパックに連結されていることを特徴とする請求項３４又は３５に記載のディスペンサー。
【請求項３８】
前記バイアス手段は、前記駆動表面と前記被駆動表面を離すようにするバネを備えていることを特徴とする請求項３５ないし３７のいずれか一つに記載のディスペンサー。
【請求項３９】
分配動作の前後において即座に、前記ブリスターパックを案内するように作動する駆動手段を備えていることを特徴とする請求項３３ないし３８のいずれか一つに記載のディスペンサー。
【請求項４０】
前記案内のための機動力は、前記ディスペンサーのエネルギー蓄積装置から提供されることを特徴とする請求項３９に記載のディスペンサー。
【請求項４１】
前記エネルギー蓄積装置は、緊張バネであることを特徴とする請求項４０に記載のディスペンサー。
【請求項４２】
前記案内のための機動力は、ディスペンサーの操作における前記閉鎖機構と前記さらに別の閉鎖機構とが互いに離される動作から提供されることを特徴とする請求項３９に記載のディスペンサー。
【請求項４３】
閉鎖機構又はハウジングは、ブリスターパックと共に使用されることを特徴とする請求項１ないし請求項４２のいずれか一つに記載のディスペンサー。
【請求項４４】
前記ハウジングは、ブリスターパックの部位と協働して適応する手動で操作可能なブレーキ又は停止手段を含み、前記ブリスターパックの回転を防止するロック位置に向かうが、手動で解除可能であることを特徴とする請求項２３に記載のディスペンサー。
【請求項４５】
前記ブリスターパックは、前記閉鎖機構とさらに別の閉鎖機構とによって定義されるハウジングに殆ど囲まれて配置されており、前記閉鎖機構及び前記さらに別の閉鎖機構は、互いに向かい合う方向及び離れる方向に移動可能であって、且つ“安全”姿勢と、“準備の整った”姿勢との間を周方向に移動可能であり、前記さらに別の閉鎖機構は、前記閉鎖機構及び前記さらに別の閉鎖機構が“準備の整った”姿勢にあるときに、前記分配穴部に位置合わせされる１以上の突起部を有し、前記閉鎖機構及び前記さらに別の閉鎖機構を“安全”姿勢となるようにするバイアス手段を備えていることを特徴とする請求項１１又は１２記載のディスペンサー。
【請求項４６】
少なくとも前記さらに別の閉鎖機構が“安全”姿勢から“準備の整った”姿勢に動かされたときに、前記さらに別の閉鎖機構と共にブリスターパックを周方向に動かす手段を備えていることを特徴とする請求項４５記載のディスペンサー。
【発明の詳細な説明】
【技術分野】
【０００１】
本発明は、ブリスターパックを備えた分配機構及びブリスターパック共に使用するディスペンサーに関する。
【背景技術】
【０００２】
カプセル、カプレット、細粒、微細粉、クリーム、液体などの形態にされた医薬品の活性組成物等、限定はされないが、種々の製品の保管及び分配にブリスターパックを使用することが知られている。ブリスターパックは、一般的なヘルスケア製品及びこの分野以外の製品に対しても使用される。ブリスターパックは、服用する形態単位で製品を提供するコスト効率の良い方法である。しかしながら、ブリスターパックは、危険を引き起こす誤用をし得る医薬の活性製品又は他の製品を包含しているので、子供にとって安全でなく、幼い子供が製品に気を引くリスクがあり、ブリスターパックから１個又はそれ以上の製品の分配を管理し、潜在的に命にかかわる結果としてそれらを消費する。
【０００３】
潜在的に命にかかわる製品を、幼い子供の全てではないとしても、子供が持っている容器を開けるための力及び／又は器用さの範囲を超えた力及び／又は器用さを必要とする、子供にとって安全なキャップを備えたボトル又はジャー（jar）のような容器に保管することは知られている。しかしながら、この方法は梱包費用がブリスターパックの費用に比べて大きくなり、容器手段による製品の大量の提供により、服用量単位（包装にした１日又は時間の各服用量を確認することを可能にする）の提供が失われる、など幾つかの短所がある。
【０００４】
従来の、医薬品のブリスターパックが危険を引き起こすことに鑑みれば、ライセンス当局は、近い将来の日から、医薬品を包含する全てのブリスターパックは子供にとって安全でなくてはならないと規定された。
【０００５】
多くの解決策は、この要求を満たすために提案されている、その中の１つの提案においては、ブリスターパックは、子供にとって安全な閉鎖の形態の箱の中に包含されている、さらに他の提案における、さらに子供にとって安全な層は、通常の方法で製品が分配されることができる前に取り除かれる、各ポケットを包含する子供にとって安全な部位又はフラップとして、ブリスターパックの箔に積層されている。これら提案された解決策はいずれも魅力的ではなく、二番目の提案は、少なくとも、ブリスターパックへのさらなる層の適用により、この提案された層が包装の安定性を損なわせるかどうかの確認のための広範囲な試験をパックが受けなくてはならないという不利益を受ける。
【０００６】
米国特許第５，１１０，００７には、硬い円形プレートがブリスターパックの分配面を上に固定され、片手操作を容易にするために分配窓部が定義している回転式のブリスターパックの分配配列が記載されているが、子供にとって安全なブリスターパックのディスペンサーについての教えが全くない。
【０００７】
米国特許第４，６２７，４３２には、吸入される医薬品が回転式のブリスターパックのポケットに保管され、プランジャーによって分配される吸入装置が記載されているが、これも子供にとって安全な配列についての教えが全くない。
【０００８】
外部のハウジング、ブリスターパックを支持する回転可能なプラットホーム及びプラットホームを回転させるための機構を備えた種々の装置が提案されている。ＵＳ−Ａ−６，０９８，８３５、ＷＯ００／４３２８７、ＵＳ−Ａ−６，３６４，１５５、ＵＳ２００２／０１６６７９１Ａには、そのような配列が記載されている。これらの配列は、製造及び組み立て費用を増加させる別個の回転可能なプラットホームが必要とされるという不利益を受ける。
【発明の開示】
【発明が解決しようとする課題】
【０００９】
従って、ブリスターパックの形態で公衆に利用可能な製品を許可し、上述の容器貯蔵の問題点を回避し、幼い子供が誤って製品を分配及び摂取する可能性を防止又は強く低減するように子供にとって安全な特徴を備えた配列の要求がある。
【課題を解決するための手段】
【００１０】
本発明の一側面に従えば、ブリスターパックの軸周りに環状に配列した多数のポケットを定義するサポート部と、前記ブリスターパックの分配側面に提供され、各ポケットを破砕可能な部位で覆うカバーシートと、を備えたブリスターパックから製品を分配するためのディスペンサーであって、ハウジングと、使用時において前記ハウジング内でブリスターパックを回転させるための設置手段と、前記ハウジングに配置され、使用時においてブリスターパックの各ポケットがその投影領域内に至るように当該ブリスターパックが回転されると共に、その投影領域を通ってブリスターパックの内容物が放出するのを可能にする分配窓部と、ブリスターパックの外周縁における露出部位を使用者が手動で従事させることによる当該ブリスターパックの回転に用いる接近口と、使用時においてブリスターパックと協働するように適応されると共に、ブリスターパックの回転を防止するロック位置から、使用時において次のポケットを隣接する分配窓部に導くために、ブリスターパックが回転可能となる解除位置まで、バイアスに抗して手動で動かされる、手動で解除可能なロック手段と、を備えたことを特徴とする。
【００１１】
好ましくは、前記ハウジングは、使用時において前記ブリスターパックの殆どを周囲から囲うベース部及び蓋部を備え、分配窓部は前記ベース部に提供されている。
【００１２】
好ましくは、前記ベース部及び蓋部は、少なくとも一つのスナップフィットによって互いに連結されている。
【００１３】
好ましくは、前記ベース部及び蓋部は、互いに連結されるヒンジ部によって完全体に形成される。
【００１４】
好ましくは、前記設置手段は、前記蓋部及び前記ベース部の一方に提供された中央の突起部を備えている。
【００１５】
前記スナップフィットは、前記突起部及び、前記蓋部及び前記ベース部の他方に提供された面要素との間で具現される。
【００１６】
配置の一つとして、前記ロック機構は、使用時においてブリスターパックの外周とバイアス方向から嵌合するロック端と、ハウジングの外側から動作される外に突き出した露出端とを有する揺り動かし可能な少なくとも一つのアームを備え、使用時において露出端を押し下げ、ロック端を前記ブリスターパックの外周との嵌合から開放する。
【００１７】
前記ロック機構は、ハウジングの外周上に互いに離れて配置した２本の揺り動かし可能なアームを備えている。
【００１８】
前記ハウジングは、前記分配窓部に対向して配置されると共に、前記分配窓部を通じて隣接するブリスターパックの内容物を押し出すように操作可能な押し出し手段を含む。
【００１９】
上記の側面において、本発明のブリスターパックと組み合わせたディスペンサーはまだ拡張される。
【００２０】
他の側面において、製品を分配するためのディスペンサーであって、ブリスターパックであって、ブリスターパックの軸周りに環状に配列した多数のポケットを定義するサポート部と、前記ブリスターパックの分配側面に提供され、各ポケットを破砕可能な部位で覆うカバーシートと、を備え、前記ブリスターパックの軸周りに相対的に回転するために、前記ブリスターパックに回転可能に連結した閉鎖機構であって、この閉鎖機構が、前記ポケットに接近するのを防止又は妨害するために前記ブリスターパックの分配側面の殆どを覆う遮蔽部を備え、前記遮蔽部が、ブリスターパックが閉鎖機構と相対的に回転することによって、少なくとも一つのポケットがその投影領域内に一時に導かれる分配窓部を含み、次のポケット又はポケット群が分配窓部の投影領域内に至るように、閉鎖機構に対して相対的にブリスターパックが回転するのを、子供にとって安全な手段によって制限又は抑制することを特徴とする。
【００２１】
この配置において、制限又は抑制は、ブリスターパックを活動的にロックすることにより直接的に、あるいはブリスターパックが回転される前に予め決められた順序の操作を必要とすることにより間接的に行われる。
【００２２】
ディスペンサーは、前記分配窓部から複数のポケットからの放出を一時に行う構成であるが、前記分配窓部は、１個のポケットから一時に放出するように適宜設計することができる。
【００２３】
一の実施形態において、前記子供にとって安全な手段は、前記ブリスターパックの軸周りに配置され、前記閉鎖機構の係止部と協働するように配列した柔軟で変形可能な多数の突出部を備え、感覚が与えられて分配窓部の投影領域を通じて一又は複数のポケットから分配した後、それぞれの突出部が前記係止部を通り越すことが可能なように柔軟に変形されるまで前記ブリスターパックの回転を防止する。
【００２４】
前記柔軟で変形可能な突出部は、例えばポケットと同様の手段である、前記サポート部上に完全に形成された多数の適切なブリスターである。
【００２５】
前記閉鎖機構は、ブリスターパックの周方向に設けられた柔軟で変形可能な突出部の変形に先立ち、前記柔軟で変形可能な突出部と協働して弾性のある回転止めとして作用することによって移動を制限可能な係止部をさらに含む。
【００２６】
前記閉鎖機構は、その外周から内側に向かって延びる扇形状の分配窓部を備えた略円盤形状である。
【００２７】
幾つかの実施形態において、前記ブリスターパックは、中央の円形の穴部を備えた円盤形状であり、前記閉鎖機構は、前記ブリスターパックの中央の穴部に回転可能に嵌合される中央の嵌合手段、及びブリスターパックの外周縁に嵌合される周囲の嵌合手段を含んでいる。前記中央の嵌合手段及び周囲の嵌合手段は、前記ブリスターパックに対するスナップフィットである。
【００２８】
他の実施形態において、前記子供にとって安全な手段は、大人以外の使用者による、カバー要素と相対的なブリスターパックの回転を防止又は妨害するように、閉鎖要素に配置した係止部と協働するように配列されると共に、前記ブリスターパックの軸周りに、前記ズリスターパックに配置した前記複数の突起部を備えている。前記突出部は、ブリスターパックに完全に形成したブリスター状又はバブル状である。
【００２９】
他の実施形態において、前記ブリスターパックは、前記閉鎖機構とさらに別の閉鎖機構とによって定義されるハウジングに殆ど囲まれて配置されており、前記閉鎖機構及び前記さらに別の閉鎖機構は、互いに向かい合う方向及び離れる方向に移動可能であって、前記さらに別の閉鎖機構は、分配穴部に略位置合わせされ、当該閉鎖機構が前記先に述べた閉鎖機構に向かうときに、１個又はそれ以上のブリスターから製品を放出するように、１以上の各々のブリスターパックに従事すると共に変形させるように、使用において作用する１以上の突起部を有している。
【００３０】
前記前記閉鎖機構及び前記さらに別の閉鎖機構は、蝶つがいによって相対的に動くように設けられている。前記前記閉鎖機構及び前記さらに別の閉鎖機構は、互いを連結するヒンジ部よって完全体に形成されている。前記前記閉鎖機構及び前記さらに別の閉鎖機構は、バイアス手段によって互いに離される。
【００３１】
一の実施形態において、前記子供にとって安全な手段は、装置が略作動していない状態のときに、前記前記閉鎖機構及び前記さらに別の閉鎖機構が閉じているのを維持するように設計したインターロック機構を備えており、使用において、使用者は、１以上の製品を分配するために前記閉鎖機構及び前記さらに別の閉鎖機構を開放するようにし、前記ロック手段は、幼い子供による開放を防止又は妨害するように設計されている。
【００３２】
インターロック手段は、前記さらに別の閉鎖機構のロック要素の各々と相互に作用する、前記閉鎖機構に提供した２以上のロック要素を備え、当該ロック手段の排除は前記ロック要素の１以上と隣接する、閉鎖機構及び／又はさらに別の閉鎖機構の弾性のある変形を必要とする。
【００３３】
前記子供にとって安全な手段は、前記ハウジングに対し相対的に移動するように設けられると共に、次のポケット又は複数のポケットが分配窓部の投影領域内に至るように、ハウジングに対し相対的にブリスターパックを回転するように作用する作動手段をさらに備えている。前記作動手段は、前記閉鎖機構及び前記さらに別の閉鎖機構が閉じた“安全”姿勢でロックされているときには作動しないように設計されている。
【００３４】
前記ブリスターパックは、その外周面につめ車の表面を定義するために、外周に沿って多数の歯部が形成されており、前記作動手段は、前記ブリスターパックの案内を効果的にするために、前記つめ車の表面に対し歯止めとして作用するように設計した突起部を備えている。
【００３５】
好ましくは、前記閉鎖機構及び前記さらに別の閉鎖機構が“安全”姿勢にあるときに、前記作動手段は、前の製品が分配されると即座にブリスターパックを通過して突出する前記さらに別の閉鎖機構の突起部によってブリスターパックがロックされることにより、作動不可能な状態にされる。
【００３６】
前記子供にとって安全な手段は、使用において、ブリスターパックの外周部を回転可能に従事させるように適用する、外部から利用できる手動で操作可能なハンドル手段をさらに備えている。前記ハンドル手段は、使用において、ブリスターパックの歯状の外周表面と互いに補足し合って協働するように設計された歯状の駆動表面を備えている。
【００３７】
他の配置において、前記子供にとって安全な手段は、外部から利用可能であって、ブリスターパックに形成するか又はブリスターパックに連結した被駆動表面と互いに補足し合って協働する回転可能な駆動部を含み、この駆動表面及び披駆動表面はバイアスによって離されており、前記バイアスに打ち勝って外部から利用可能なハンドルからブリスターパックに駆動力を伝達可能にする。
【００３８】
好ましくは、前記駆動表面及び前記被駆動表面は、互いに補足し合う歯部を備えている。
【００３９】
前記駆動表面は、前記閉鎖機構内に回転可能なように設けられたハブ部に配置され、前記ハブ部は、回転しない方法で前記ブリスターパックに連結されている。
【００４０】
ディスペンサーは、好ましくは、分配動作の前後において即座に、前記ブリスターパックを案内するように作動する駆動手段を備えている。
【００４１】
前記案内のための機動力は、前記ディスペンサーのエネルギー蓄積装置（例えば、緊張バネ）から提供される
【００４２】
代わりに、前記案内のための機動力は、ディスペンサーの操作における前記閉鎖機構と前記さらに別の閉鎖機構とが互いに離される動作から提供されることができる。
【００４３】
分配される製品を包含するブリスターパックを組み込んで多量の分配ユニットが売られる一方で、ディスペンサーは、ブリスターパックがその後に入れられると共に、最初のものが消費されたときにさらに別のブリスターパックが再び補充される分離ユニットとして売られることは、高く評価されるであろう。
【００４４】
従って、本発明は、ブリスターパックと共に使用されるディスペンサーとして拡張される。
【００４５】
発明が上述のように記述される一方、上述の特徴又は以下の記述、請求項、添付図面の組み合わせ又は副次的な組み合わせに創造的に拡張される。
【発明を実施するための最良の形態】
【００４６】
添付図面を参照して説明する子供にとって安全なブリスターパックディスペンサーの種々の実施形態は、空の開始ポケットを除いて同じ間隔で中心軸周りの同心円状に配置したブリスターポケットを備えた円状のブリスターパックで構成される。各実施形態において、ブリスターパックの分配側面は、分配窓部は別にして、カバー又は閉鎖手段によって完全に遮蔽されている。ブリスターパックは、ポケットに包含した製品を連続して提供するために、カバーと相対的に分配窓部に向かって増加的に動くが、ブリスターパック及び／又はカバーは、幼い子供により動かされることを防止又は妨害するための設計となっている。この手法によれば、たとえディスペンサーがそのまま放置されて子供に拾われても、ブリスターパック内の製品に接近しようとする子供の危険がかなり低減される。
【００４７】
図１〜図５に示す第１実施形態を参照すると、この配置のブリスターパック２００の外周には、各ブリスターポケット２０４の間に、Ｖ字形のノッチ２０２を含んでいる。ブリスターパック２００は、成型された注入、ベース部２０８と、ヒンジ部位２１２によってベース部と連結した蓋２１０とにより形成した二枚貝形状のハウジング構成におけるベース部２０８から完全に垂立するハブ２０６の外周に適合する中央の円形の穴部が提供されている。二枚貝形状のハウジングは、図１に示す開いた位置から、図２に示す閉じた位置まで蝶つがいで開閉し、閉じた位置においては、スナップフィットを構成するハブ２０６の内側起立縁に対して開放可能に嵌合する連続する弾性歯によってロックされる。スナップフィットのロックする強さは、子供にとって安全であるように選択される。ハウジングのベース部２０８は、当該ベース部２０８の対向する側部上に２つの揺り動かし可能なロック機構２１６を含んでいる。各ロック機構２１６は、ベースユニットの表面における突出部２２２に、その隣接する中間位置が柔軟な支柱２２０を介して取り付けられるアーム２１８を備えている。ロックアーム２１８は、蓋部が閉じられたときに、当該蓋部２１０の盲目の切り穴にそれぞれ嵌合される短いシャフト２２４を含んでおり、当該ロックアーム２１８が柔軟な支柱２２０によってもたらされる弾性方向に抗して、ロックアーム２１８は、短いシャフト２２４の中心回転軸廻りに回転可能である。ロックアーム２１８は、（例えば、図１に示すような）ロック位置において、図２に示すように、ハウジングから操作端部２２８が外側に突き出すように、当該ハウジングに配置されている。ロックアーム２１８の他方の端部はロックくさび部２３０であり、装置が休止状態にあるときに、ブリスターパック２００の外周のＶ字形のノッチ２０２と嵌合し、これによりケーシング内においてブリスターパック２００が回転するのを防止する。ブリスターパックを回転させるためには、それぞれのノッチ２０２からロックくさび２３０を引き出すために両方のロック機構２１６を外部から押す操作を行わなくてはならないことに注意する。
【００４８】
蓋部２１０は、その端部に放出用突出部２３４が提供される柔軟な舌片部２３２が、その内側領域に提供されるスロット２３１を有している。特に図３を参照すると、ベース部２０８は、位置合わせしたブリスターポケット２０４の内容物が放出される分配穴部２３６を有している。蓋部２１０及びベース部２０８の各々は、図４に示すように、ハウジングが閉じられたときに、手を使ってブリスターパックの外縁部に接近するための切込み領域２４０，２４２をそれぞれ有している。
【００４９】
使用において、ブリスターパックはハウジング内に配置され、切込み領域２４０，２４２によってもたらされる接近口は別として、ブリスターパックの殆どを囲むように、スナップフィット動作によりハウジングが閉じられる。ブリスターパックは、通常は、空の開始ポケットを分配穴部２３６に隣接させてハウジング内に配置される。この状態において、ロックくさび部２３０は、回転を防止するために、ブリスターパックのノッチ２０２にそれぞれ嵌合されている。この位置において舌片部２３２は、蓋部２１０のその周囲の外表面と同一平面上にある。ブリスターパックから内容物を分配することを所望するとき、使用者は、ノッチからロックくさび部２３０を引き出すように、ロック機構２１８の操作端部２２８を押し下げる必要があり、そして押し下げた端部を保持している間に、使用者は、接近口２４０／２４２を通じてブリスターパックの外縁部を操作することによって次のポケットを分配穴部２３６に位置合わせするために、ブリスターパックを増加回転させる必要がある。図４及び５に示すように、ブリスターパックは分配穴部に向かって移動したとき、次のブリスター部分はまだつぶされずに放出用突出部２３４と従事し、蓋部２１０の表面から僅かに舌片部２３２が押し上げられるように、放出突出部２３４を上方に押す。これは、装置の分配準備が整ったことを示す有用な表示を与える。使用者はそれから舌片部２３２を押し下げ、これにより分配穴部２３６を通じてポケットの内容物を放出する。この動作は、ブリスターパックが空になるまで時々繰り返される。
【００５０】
図６〜図１０を参照しながら第２実施形態について説明すると、この実施形態は、ヒンジ１３６によってそれぞれが連結されて完全体となる上部部位１３２及び下部部位１３４を備えた二枚貝形状のカバー１３０を備えている。下部部位１３４には、上部部位１３２の歯状の凸型のフィッティング部１４０を補足してスナップフィットを構成する垂立するハブ１３８がある。円盤状に形成されたブリスターパック１４２には、ハブ１３８により当該ブリスターパックが回転可能なように、ハブ１３８の外周縁に適合する中央穴部１４４が提供されている。ブリスターパック１４２は、盲目の開始位置１４８と共に同じ間隔をおいて配置された多数のポケット１４６を備える。詳しくは図９に示すように、各ポケットの間には、ブリスターパック１４２の外周縁にノッチ１５０が提供されている。下部部位１３４の外周壁には、その一端に歯１５４を備え、ヒンジ１５６により下部部位１３４に対し蝶つがいで揺れ動く、離れて配置された２本のレバー１５２が提供されている。図９に示すように、レバー１５２の歯は、ブリスターパック１４２のノッチと嵌合するように倒され、通常はハウジング内でブリスターパックの回転を防止する。歯１５４の各々は、ヒンジ１５６を中心に回転するように、レバーの他端を押し下げることにより、外に向かって放射状にノッチ１５０から引き出される。
【００５１】
上部部位１３２は、内側に突き出している分配突出部又はアンビル部（anvil）１５８を有し、下部部位１３４は、分配突出部１５８と同じ角度に配置された分配穴部１６０を有している。
【００５２】
使用において、ブリスターパック１４２は、図９に示すように、分配穴部１６０と盲目位置１４８とが対向するようにして、二枚貝形状のカバー内に配置される。カバーは、２つの部位のスナップフィットと共に蝶つがいで動かして閉じられる。カバーの下部部位１３４は、図１０に示すように、ブリスターパック１４２の外縁部に外側から接近可能な接近口を提供するために、分配穴部１６０に隣接する場所で切り込まれている。装置の休止状態において、ブリスターパックの外縁に接近することは可能であっても、ブリスターポケット１４６をアンビル部１５８及び分配穴部１５８に位置合わせするように、ブリスターパックを回転させることはできないので、この状態における装置は子供にとって安全である。ポケットが分配穴部１５８の位置まで移動するようにブリスターパック１４２を回転させるためには、歯１５４をブリスターパックの周囲のノッチから引き出して当該パックが回転できるように、両方のレバー１５２を同時に押し下げなくてはならない。ブリスターパックは、次のポケットが所定位置に至らせるように回転され、その後で回転をロックするために、歯１５４がノッチに嵌合する。錠剤は、製品が分配穴部１６０を通じてブリスターパックから放出されるように、上部部位１３２及び下部部位１３４を両側からぎゅっと押すことによって分配される。
【００５３】
図１１〜図１３を参照しながら第３実施形態について説明すると、略円盤状に形成されたカバー１０又は閉鎖機構は、その外周から内側に延びると共に円周角が約３０度の扇形状の分配窓部１２を有している。分配窓部１２の放射状の内側端部には、固定係止部１４及び弾性のある可動係止部１６の２つの係止部が提供されている。これら係止部は、以下に記述するブリスターパックの突出部と協働する。
【００５４】
一般的な従来構造のブリスターパック１８は、（特にこの実施形態において）１２個のポケット２２を定義する真空引き又は別の適当な方法で形成した可塑性のあるサポート部２０を備えており、このサポート部の分配側面は箔などの破けやすい膜２２によって覆われている。
【００５５】
サポート部は、放射状の各ポケットの内側に、ブリスターパックの分配側面から突出する突出球状部２８を含んでおり、この突出球状部２８は扇形状の分配窓部１２の先端の隙間内に係止されるように設計されている。
【００５６】
カバー１０は、外側に向くリブ３２を備えた突出する環状のハブ３０を有し、当該カバーの外側端も同様に、内側に向くリブ３６を備えた突出する縁部３４を有している。
【００５７】
製造において、サポート部２０のポケット２２には、空の開始ポケット２３以外には製品が充填される。そしてポケットは、通例の手法による、当該ポケットを閉鎖するための薄い箔又は膜２４によって封止される。ディスペンサーは、環状のハブが中央の穴部２６を通じてスナップフィットすると共に、カバーの縁部３４がブリスターパックの外周をスナップフィットするように、ブリスターパック１８の分配側面をカバー１０に提供することによって組み立てられ、ブリスターパックはカバーに対し相対的に回転可能に支持され、極端な困難性をもってのみ分解可能である。ブリスターパック１８は、空の開始ポケット２３が分配窓部１２に位置合わせされるように、その方位が合わされる。カバーに対し相対的なブリスターパック１８の回転は、突出球状部２８と固定係止部１４及び可動係止部１６との協働によって防止される。次の（右回りの）ポケットを分配窓部に向けるためには、固定係止部１４を通過するときにそれが柔軟につぶされると共にブリスターパックがカバーに対し相対的に回転するのを許すように、球状部２８を押し下げなくてはならない。このとき、まだつぶされていない次の球状部２８は、弾性的に動くと共に後続の２つの球状部２８の間に位置して戻り止めとして作用する可動係止部１６をのり超えて移動する。そして次の球状部２８がつぶさされるまで、さらに回転するのに対抗してブリスターパックを保持する。
【００５８】
図１４〜図１６の第４実施形態を参照すると、この実施形態も殆ど同じに構成されているが、ブリスターパックの分配側面に、カバーのつまみ（lug）と協働する一対の突出したピプ（pip）を用いている。この実施形態における子供にとっての安全性は、幼い子供がブリスターパックを回転することができないように、ピプ及びつまみを設計することによって提供される。従って、この実施形態において、カバー４０は、その先端に突出するつまみ４４が提供される分配窓部４２を有している。カバーは、前述の実施形態と同様に、外側に向くリブ５２を備えた中央の環状のハブ、及び内側に向くリブ５６を備えた外周縁５４を有している。ブリスターパック４６は、前述のように、膜によって閉鎖されたポケット４８を定義するサポート部を備えている。放射状の各ポケット４８の内側には、ブリスターパックの分配側面から突出する一対のピプがある。使用において、前述のように、空のポケットが分配窓部４２に位置するようにして、スナップフィットと共にブリスターパック及びカバーは組み立てられる。この位置において、つまみ４４が関連する一対のピプ５８の間に位置して、カバーに対して相対的にブリスターパックが回転移動するのを妨害し、これにより小さな子供が充填ポケットに接近するのを妨害するが、大人は移動することが可能である。
【００５９】
第５、第６及び第７実施形態を参照すると、これら実施形態は、ブリスターパックから製品を放出するために両側からぎゅっと押される２枚の部位を備えたブリスターパックを殆ど囲う二枚貝形状のハウジングを用いる。第５〜第７実施形態は、幼い子供によるブリスターパックの回転及び／又は製品の放出を抑止する種々の手段を有する。
【００６０】
図１７〜図２１を参照しながら第５実施形態について説明すると、この実施形態は、下半分６２と蝶つがいにより連結された上半分６０によって構成される２ピースカバーを備えている。蝶つがいは、従来のピンと取手による構造又は、一回の動作で蝶つがいが動いて上半分と下半分の閉鎖状態を形成することのできる必須の“生きた”蝶つがいとする。下半分６２は、前述の２つの実施形態におけるカバー１０，４０に略相当する。下半分６２は、ブリスターパック６８の中央の穴部を通じてスナップフィットする中央のハブ６４を有する。下半分６２は、ブリスターパックのポケットが提供されると当該ポケットから製品を放出する分配窓部７０を含んでいる。閉鎖手段の上半分６０は、装置が固定されると共に、上半分と下半分が両方からぎゅっと押されたときに、ポケットから製品を放出するように、ブリスターパックのポケット及び分配窓部７０と協働する分配アンビル部７２を含む。
【００６１】
ブリスターパックには、その外周に歯車表面７４が提供されている。レバー機構７６は、閉鎖手段の下半分６２に設置され、適切な感覚でスライドさせたときに、次のポケットが分配窓部７０に位置合わせされるようにブリスターパックを回転する。
【００６２】
閉鎖手段の上半分６０及び下半分６２は、上半分６０に提供される２つの直径方向にて対向するロックスプリングクリップ７８を含むロック機構を備えている。ロッククリップは、下半分６２の直径方向にて対向するロック凹部８０にそれぞれ嵌合される。ロック機構は、分配窓部に位置するポケットから製品を放出するように上半分と下半分とをぎゅっと押したときのストロークの終わりに自動的に嵌合してロックする。装置をロックした姿勢、換言すれば安全姿勢を図２１に示している。この姿勢において、アンビル部７２は空のポケットを通して突き出しており、よって新しいポケットが所定位置に至るようにブリスターパックが回転するのを防止する。閉鎖機構は、アンビル部をポケットから退出させると共に次のブリスターの移動経路外に当該アンビル部を移動させるのを許すように、ロック機構を解除することによってのみ、“安全”姿勢から“準備の整った”姿勢にすることができる。ロック機構の解除には、閉鎖機構の上半分におけるスプリングクリップ７８に隣接する縁部を内側に押すことによって、ロックスプリングクリップ７８をロック凹部８０から外すことを必要とする。これがなされたら、上半分６０は、アンビル部７２が空のポケットの嵌合から開放され、分配窓部の位置に次の充填されたポケットが至るようにブリスターパックがレバー７２によって回動されることを可能にするに位置までアンビル部を持ち上げることが可能になる。必要ならば、ロック機構が解除されたときに、上半分及び下半分は、両者が別々になることを駆り立てるバイアス配置を持つことができる。
【００６３】
図２２〜図２６を参照しながら第６実施形態について説明すると、この実施形態は、第５実施形態と略同じ構造であり、同様の構成については同じ符号を付して重複する説明を省略する。異なるのは、閉鎖手段の下半分６２に回転可能に設置されると共に、ブリスターパックの外周に提供される歯車の付いた被駆動表面９２と歯合する、歯車の付いた駆動表面を有する小さい歯車部９０によってブリスターパックが回転される点である。歯車部９０によりブリスターパックを回転することを除いて、装置の操作は、第５実施形態と実質的に同じである。この実施形態においては、次の充填されたポケットが分配窓部に位置するようにブリスターパックを停止させることを確実に保証するための、送り機構など（図示せず）があることが好ましい。このような送り機構の設計及び履行は、技術に熟練しているものの能力の範囲内である。
【００６４】
図２７〜図３１を参照しながら第７実施形態について説明すると、前述のように、外側の閉鎖手段は、下半分１０２と蝶つがいで連結された上半分１００により形成される。下半分１０２には、のこぎり歯状の歯車又は駆動表面及び、垂立するピン１０８を備えた外部の駆動フランジ１０６を備えた回転可能なハブ１０４が提供されている。下半分１０２は、前述のように、分配窓部１１０を含む。ブリスターパック１１２は、前述の場合と同様に円盤形状であるが、平らな外周縁及び拡大した中央の穴部１１４を備えており、また同じ間隔で４つの孔部１１６を備え、孔部１１６内にピン１０８が位置することにより、回転可能なハブ１１４の上方にブリスターパック１１２を適合可能なようにしている。ハウジング１００の上半分は、外部から操作可能な手動歯車１２０及び内側に向く駆動表面１２２を有する駆動機構１１８が回転可能に設置されている。
【００６５】
前述のように、上部カバー及び下部カバーは、下半分１０２のロック凹部１２４に嵌合するロックスプリングクリップ１２２を備えた、子供にとって安全なロック機構によって連結されている。装置のこれら機構は、小さな子供によってカバーが開かれることを妨害する。図３１に示すように、通常の閉じられた姿勢のとき、駆動表面１２２，１０４は、スプリング１２６によって嵌合されていない状態を保持する。しかしながら駆動歯車部１１８は、手動歯車１２０によってブリスターパックにおける次のポケットが分配窓部１１０に位置するにように回転可能なように、駆動表面が嵌合されるに至るまで、下方に移動可能なように設けられている。当該装置において、閉鎖手段の上半分１００に小さい穴部などを提供するか、あるいは前述の実施形態と同様に、閉鎖手段が“安全”姿勢となっているときにブリスターパックの回転を制限し、且つ閉鎖手段が“安全”姿勢から“準備の整った”姿勢に解除されたときに製品を分配するように働く分配用のアンビル部を閉鎖手段の上半分に含ませることによって、製品がブリスターから手動で分配されるようにする。
【００６６】
上述の実施形態では一度に１個のポケットの分配をしているが、分配窓部及びアンビル部を適宜拡大することを提供することによって、２又はそれ以上の隣接するポケットから同時に分配することが可能なように当該装置を容易に変更し得ることは、もちろん評価されるであろう。さらには、ブリスターパック及び／又は閉鎖手段は、各々が分配される日時を識別できるようにデザインすることができる。例えば、ブリスターパックは、窓部を通じて視認可能なように、隣接する各ポケットに週日を印刷することができる。
【００６７】
さらなる実施形態においては、図解はしないが第５ないし第７実施形態の２ピース閉鎖手段の思想に従っており、上半分と下半分の予定とする相対的な動作を、ブリスターパックが次の位置に導くための動作に用いられるように、閉鎖手段及びブリスターパックを設計することが可能である。即ち、使用において、閉鎖手段が“安全”姿勢から“準備の整った”姿勢へ解除又は移動する際に、閉鎖手段の分離動作を、ブリスターパックを次の位置に駆動させるのに利用することができる。別の例として、エネルギー蓄積装置によってブリスターパックが次の位置に導かれるように、閉鎖手段の上半分と下半分の分離動作がブリスターパックを開放することによるエネルギー蓄積装置を提供することができる。
【００６８】
図３２〜図３６の第８実施形態を参照すると、この実施形態は、中央のハブ部１７４，１７６のそれぞれを通じて互いにスナップフィットされる、上部部位１７０及び下方部位１７２により形成するカバーを備えている。前述のように、上部カバー１７０は分配用の突出部又はアンビル部１７８を有し、下部部位１７２は分配穴部１８０を有している。しかしながら、平衡位置において、分配用のアンビル部１７８は分配穴部１８０に位置合わせされていない点に注意する。ハブ領域１７４，１７６内に配置され、上部部位及び下部部位との間で作用する中央の緊張ばね（図示せず）により、上部部位１７０及び下部部位１７２は、この平衡位置に向かうように引っ張られる。上部部位及び下部部位には、ハブ領域と同心円上に配置された協働する城構えの部位１７７，１７８が提供されており、分配用のアンビル部１７８が分配穴部１８０に位置合わせされない平衡位置にカバーがあるときに、城構えの部位が協働して上部部位１７０及び下部部位１７２が互いに向かい合う方向に移動するのを禁止する構成である。しかしながら、アンビル部１７８が分配穴部１８０の位置に至るように（図３４に示す“準備の整った”位置である）、緊張ばねに抗して、上部部位１７０が下部部位１７２に対して相対的に回転されたとき、アンビル部１７８が分配窓部１８０を通じてブリスターパックから製品を放出するように、城構えの部位が協働して上部部位１７０が下部部位１７２に向かってぎゅっと押されるのを可能にする。
【００６９】
図３５には、上部部位１７０及び下部部位１７２が互いに向かい合う方向に移動するのを城構えの部位が協働して防止している状態を示しており、図３６には、上部部位１７０及び下部部位１７２が互いに向かい合う方向に移動するのを城構えの部位が許可する、ねじ回された位置を示す。城構えの部位はさらに、下部部位に対する相対的な上部部位の回転の範囲を、ブリスターパックにおける隣接するポケット同士の間隔と同程度に制限する機能を有する。ブリスターパックには、分配サイクルの開始において上部部位１７０が下部部位に対し相対的に回転されたとき、ブリスターパックがアンビル部１７８による放出準備のため分配窓部１８０に隣接する次のポケットを提供するために上部部位と共に回転するように、可動ラチェットフィンガー（図示せず）と協働する円形に延びるつめ歯部１８２が提供されている。上部部位及び下部部位は、ポケットから製品を分配するために両者が共に押され、それから上部部位１７０が下部部位から離れるように押すのが開放され、その元の初期位置まで回転するが、このとき可動ラチェットフィンガーは、前記ブリスターパックを回転することなしにつめ歯部の斜面を越えて動く。
【図面の簡単な説明】
【００７０】
【図１】本発明に従う第１実施形態のハウジングを開いた状態の分配装置を示す図である。
【図２】図１の第１実施形態の分配装置であって、ハウジングを閉じると共にブリスターパックが分配しない位置にある状態を示す図である。
【図３】図１のハウジングを開いた実施形態の下方側を示す図である。
【図４】ブリスターパックのポケットからの分配の準備がされていない状態の、第１実施形態のハウジングの上部を示す図である。
【図５】ブリスターパックのポケットからの分配の準備がされた状態の、第１実施形態の図４におけるＶ−Ｖ線の断面を示す図である。
【図６】二枚貝形状のカバーを開いた状態の第２実施形態を示す斜視図である。
【図７】二枚貝形状のカバーを閉じた状態の第２実施形態を示す斜視図である。
【図８】二枚貝形状のカバーを閉じた状態の第２実施形態の上面図である。
【図９】二枚貝形状のカバーを開いた状態の第２実施形態の上面図である。
【図１０】二枚貝形状のカバーを開いた状態の第２実施形態の下面図である。
【図１１】第３実施形態のカバーを示す図である。
【図１２】図１１のカバーと組み合わせるブリスターパックの分配側面を示す図である。
【図１３】第３実施形態のカバー及びブリスターパックを組み立てたときの側面図である。
【図１４】第４実施形態のカバーの上面図である。
【図１５】カバーと組み合わせるブリスターパックの分配側面を示す上面図である。
【図１６】第４実施形態のカバー及びブリスターパックを組み立てたときの側面図である。
【図１７】二枚貝形状のカバーを開いた状態の本発明の第５実施形態を示す図である。
【図１８】第５実施形態のブリスターパックの分配側面を示す図である。
【図１９】図１８のブリスターパックの直径横断図である。
【図２０】図１７におけるＸＸ−ＸＸ線の断面図である。
【図２１】図２０と同様の横断図であるが、ハウジングを閉じた状態又は“安全”姿勢にした状態を示す。
【図２２】二枚貝形状のカバーを開いた状態の本発明の第６実施形態を示す図である。
【図２３】第６実施形態のブリスターパックの分配側面を示す図である。
【図２４】図２２のブリスターパックの直径横断図である。
【図２５】図２２におけるＸＸ−ＸＸ線の断面図である。
【図２６】図２５と同様の横断図であるが、ハウジングを閉じた状態又は“安全”姿勢にした状態を示す。
【図２７】二枚貝形状のカバーを開いた状態の本発明の第７実施形態を示す図である。
【図２８】第７実施形態のブリスターパックの分配側面を示す上面図である。
【図２９】図２８のブリスターパックの直径横断図である。
【図３０】図２７におけるＸＸ−ＸＸ線の断面図である。
【図３１】図３０と同様の横断図であるが、ハウジングを閉じた状態又は“安全”姿勢にした状態を示す。
【図３２】組み立てた状態の第８実施形態を示す斜視図である。
【図３３】第８実施形態の下方側からの斜視図である。
【図３４】第８実施形態の断面図である。
【図３５】“安全”姿勢における第８実施形態の種々の構成要素の位置を示す図である。
【図３６】錠剤を分配するための準備姿勢における第８実施形態の種々の構成要素の位置を示す図である。
【図１】
2006516517.tif 000003
【図２】
2006516517.tif 000004
【図３】
2006516517.tif 000005
【図４】
2006516517.tif 000006
【図５】
2006516517.tif 000007
【図６】
2006516517.tif 000008
【図７】
2006516517.tif 000009
【図８】
2006516517.tif 000010
【図９】
2006516517.tif 000011
【図１０】
2006516517.tif 000012
【図１１】
2006516517.tif 000013
【図１２】
2006516517.tif 000014
【図１３】
2006516517.tif 000015
【図１４】
2006516517.tif 000016
【図１５】
2006516517.tif 000017
【図１６】
2006516517.tif 000018
【図１７】
2006516517.tif 000019
【図１８】
2006516517.tif 000020
【図１９】
2006516517.tif 000021
【図２０】
2006516517.tif 000022
【図２１】
2006516517.tif 000023
【図２２】
2006516517.tif 000024
【図２３】
2006516517.tif 000025
【図２４】
2006516517.tif 000026
【図２５】
2006516517.tif 000027
【図２６】
2006516517.tif 000028
【図２７】
2006516517.tif 000029
【図２８】
2006516517.tif 000030
【図２９】
2006516517.tif 000031
【図３０】
2006516517.tif 000032
【図３１】
2006516517.tif 000033
【図３２】
2006516517.tif 000034
【図３３】
2006516517.tif 000035
【図３４】
2006516517.tif 000036
【図３５】
2006516517.tif 000037
【図３６】
2006516517.tif 000038
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
ブリスターパックの軸周りに環状に配列した多数のポケットを定義するサポート部と、前記ブリスターパックの分配側面に提供され、各ポケットを破砕可能な部位で覆うカバーシートと、を備えたブリスターパックから製品を分配するためのディスペンサーであって、
ハウジングと、
使用時において前記ハウジング内でブリスターパックを回転させるための設置手段と、
前記ハウジングに配置され、使用時においてブリスターパックの各ポケットがその投影領域内に至るように当該ブリスターパックが回転されると共に、その投影領域を通ってブリスターパックの内容物が放出するのを可能にする分配窓部と、
ブリスターパックの外周縁における露出部位を使用者が手動で従事させることによる当該ブリスターパックの回転に用いる接近口と、
使用時においてブリスターパックと協働するように適応されると共に、ブリスターパックの回転を防止するロック位置から、使用時において次のポケットを隣接する分配窓部に導くために、ブリスターパックが回転可能となる解除位置まで、バイアスに抗して手動で動かされる、手動で解除可能なロック手段と、を備えたことを特徴とするディスペンサー。
【請求項２】
前記ハウジングは、使用時において前記ブリスターパックの殆どを周囲から囲うベース部及び蓋部を備え、分配窓部は前記ベース部に提供されていることを特徴とする請求項１記載のディスペンサー。
【請求項３】
前記ベース部及び蓋部は、少なくとも一つのスナップフィットによって互いに連結されていることを特徴とする請求項２記載のディスペンサー。
【請求項４】
前記ベース部及び蓋部は、互いに連結されるヒンジ部によって完全体に形成されることを特徴とする請求項２又は３に記載のディスペンサー。
【請求項５】
前記設置手段は、前記蓋部及び前記ベース部の一方に提供された中央の突起部を備えていることを特徴とする請求項２ないし４のいずれか一つに記載のディスペンサー。
【請求項６】
前記スナップフィットは、前記突起部及び、前記蓋部及び前記ベース部の他方に提供された面要素との間で具現されることを特徴とする、請求項３に従属する請求項５に記載のディスペンサー。
【請求項７】
前記ロック機構は、使用時においてブリスターパックの外周にバイアス方向から嵌合するロック端と、ハウジングの外側から動作される外に突き出した露出端とを有する揺り動かし可能な少なくとも一つのアームを備え、使用時において露出端を押し下げ、ロック端を前記ブリスターパックの外周との嵌合から開放することを特徴とする請求項１ないし６のいずれか一つに記載のディスペンサー。
【請求項８】
前記ロック機構は、ハウジングの外周上に互いに離れて配置した２本の揺り動かし可能なアームを備えていることを特徴とする請求項７記載のディスペンサー。
【請求項９】
前記揺り動かし可能な各アームは、前記ハウジングに完全に形成されていることを特徴とする請求項８記載のディスペンサー。
【請求項１０】
前記ハウジングは、前記分配窓部に対向して配置されると共に、前記分配窓部を通じて隣接するブリスターパックの内容物を押し出すように操作可能な押し出し手段を含むことを特徴とする請求項１ないし９のいずれか一つに記載のディスペンサー。
【国際調査報告】
2006516517.tif 000039
2006516517.tif 000040
2006516517.tif 000041
2006516517.tif 000042